(57)【要約】  非圧縮ビデオの無線通信のためのシステムにおいて、多数の装置間に低速チャネルを通してメッセージを効率的に通信できる方法およびシステムが提供される。前記方法は、低速チャネルの効率性を向上させるために多重目的集合（ＭＤＡ）を使用し、これによって非圧縮ビデオを通信するための時分割多重化された（ｔｉｍｅ  ｄｉｖｉｓｉｏｎ  ｄｕｐｌｅｘｅｄ）高速チャネルを使用することにさらに多い時間を許容する。多重目的集合メッセージは、システム内の所定の装置によってエンコードされ得、システム内の他の装置によって低速チャネルを通して受信され得る。受信装置は、低速チャネルを通して受信された多数のメッセージが前記受信装置を目標としているのかを判断することができ、これらメッセージを後続処理することができる。
2010521862.tif 000002
【特許請求の範囲】
【請求項１】
高速チャネルを通して非圧縮ビデオを無線で送信および／または受信するステップと、
装置アドレスによって識別される受信装置で低速チャネルを通してデータパケットを受信するステップであって、
前記データパケットは、複数のメッセージを含むと共に、ソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含むことを特徴とするステップと、
１つ以上のＭＤＡメッセージの前記目的アドレスが前記受信装置の装置アドレスとマッチするのかを決定するステップ、および
前記受信装置の装置アドレスとマッチする目的アドレスを含むものと決定された前記ＭＤＡメッセージを処理するステップを含む、非圧縮ビデオの無線通信のためのシステムで複数の装置間にメッセージを通信する方法。
【請求項２】
前記高速チャネルおよび低速チャネルの周波数帯は、最小限部分的に重なる、請求項１に記載の非圧縮ビデオの無線通信のためのシステムで複数の装置間にメッセージを通信する方法。
【請求項３】
前記高速チャネルおよび低速チャネルは、ＴＤＤ（ｔｉｍｅ  ｄｉｖｉｓｉｏｎ  ｄｕｐｌｅｘｉｎｇ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）のうち１つ以上を使用する、請求項１に記載の非圧縮ビデオの無線通信のためのシステムで複数の装置間にメッセージを通信する方法。
【請求項４】
前記データパケットは、既決定されたビットパターンを含むプリエムブルをさらに含む、請求項１に記載の非圧縮ビデオの無線通信のためのシステムで複数の装置間にメッセージを通信する方法。
【請求項５】
前記プリエムブルは約４０ｍｉｃｒｏｓｅｃ．ないし約６０ｍｉｃｒｏｓｅｃ．の範囲の期間を有することを特徴とする、請求項４に記載の非圧縮ビデオの無線通信のためのシステムで複数の装置間にメッセージを通信する方法。
【請求項６】
前記高速チャネルの周波数帯は、約５７ＧＨｚないし約６６ＧＨｚの周波数範囲である、請求項２に記載の非圧縮ビデオの無線通信のためのシステムで複数の装置間にメッセージを通信する方法。
【請求項７】
前記受信されたデータパケット内の前記複数のＭＤＡメッセージは、複数の装置と関連するタイムスロット情報を識別する情報を含み、
前記タイムスロット情報は、既決定された長さのスーパーフレーム周期内で、前記高速チャネルおよび低速チャネルのうち少なくとも１つを通して送信または受信する前記複数の装置に対する予約された時間周期を示す、請求項１に記載の非圧縮ビデオの無線通信のためのシステムで複数の装置間にメッセージを通信する方法。
【請求項８】
前記複数の情報フィールドは、
パケットタイプフィールド、確認応答政策フィールド、既伝送されたパケットの再伝送パケットであることを示すのに使用されるフィールド、時間周期あいださらに多いデータパケットが伝送されなければならないのかを示すことに使用されるフィールド、順番フィールド、既決定された文字列で設定された区切り文字フィールド、および循環余剰検査フィールドのうち１つ以上をさらに含む、請求項１に記載の非圧縮ビデオの無線通信のためのシステムで複数の装置間にメッセージを通信する方法。
【請求項９】
前記受信装置の装置アドレスとマッチする目的アドレスを含むものと決定された前記ＭＤＡメッセージのうち１つに対して確認応答メッセージを伝送するための時間を絶対的に決定するステップであって、前記伝送するための時間は、前記ＭＤＡメッセージが受信された順序に基づいて決定されることを特徴とするステップ、および
前記決定された時間で前記ＭＤＡメッセージに対する確認応答メッセージを伝送するステップをさらに含む、請求項１に記載の非圧縮ビデオの無線通信のためのシステムで複数の装置間にメッセージを通信する方法。
【請求項１０】
前記複数の情報フィールドは、知らされたビットパターンを含み、前記複数のＭＤＡメッセージのうち１つと関連する既決定された位置に位置する区切り文字フィールドをさらに含み、
前記ＭＤＡメッセージのうち何れか１つの近くに位置する前記区切り文字フィールドの位置を探すステップをさらに含む、請求項１に記載の非圧縮ビデオの無線通信のためのシステムで複数の装置間にメッセージを通信する方法。
【請求項１１】
装置と関連する装置アドレスと、
高速チャネルを通して非圧縮ビデオを無線で送信および／または受信し、低速チャネルを通してデータパケットを受信する無線通信サブシステムであって、
前記データパケットは、複数のメッセージを含むと共に、ソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含み、
１つ以上のＭＤＡメッセージの前記目的アドレスが前記関連する装置アドレスとマッチするのかを決定するデコーダ、および
前記関連する装置アドレスとマッチする目的アドレスを含むものと決定された前記ＭＤＡメッセージを処理するプロセッサを含む、非圧縮ビデオの無線通信のためのネットワーク内の通信システム。
【請求項１２】
前記高速チャネルおよび低速チャネルの周波数帯は、最小限部分的に重なる、請求項１１に記載の非圧縮ビデオの無線通信のためのネットワーク内の通信システム。
【請求項１３】
前記高速チャネルおよび低速チャネルは、ＴＤＤ（ｔｉｍｅ  ｄｉｖｉｓｉｏｎ  ｄｕｐｌｅｘｉｎｇ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）のうち１つ以上を使用する、請求項１１に記載の非圧縮ビデオの無線通信のためのネットワーク内の通信システム。
【請求項１４】
前記データパケットは、既決定されたビットパターンを含むプリエムブルをさらに含む、請求項１１に記載の非圧縮ビデオの無線通信のためのネットワーク内の通信システム。
【請求項１５】
前記プリエムブルは、約４０ｍｉｃｒｏｓｅｃ．ないし約６０ｍｉｃｒｏｓｅｃ．の範囲の期間を有することを特徴とする、請求項１４に記載の非圧縮ビデオの無線通信のためのネットワーク内の通信システム。
【請求項１６】
前記高速チャネルの周波数帯は、約５７ＧＨｚないし約６６ＧＨｚの周波数範囲である、請求項１２に記載の非圧縮ビデオの無線通信のためのネットワーク内の通信システム。
【請求項１７】
前記受信されたデータパケット内の前記複数のＭＤＡメッセージは、複数の装置と関連するタイムスロット情報を識別する情報を含み、
前記タイムスロット情報は、既決定された長さのスーパーフレーム周期内で、前記高速チャネルおよび低速チャネルのうち少なくとも１つを通して送信または受信する前記複数の装置に対する予約された時間周期を示す、請求項１１に記載の非圧縮ビデオの無線通信のためのネットワーク内の通信システム。
【請求項１８】
前記複数の情報フィールドは、
パケットタイプフィールド、確認応答政策フィールド、既伝送されたパケットの再伝送パケットであることを示すのに使用されるフィールド、時間周期あいださらに多いデータパケットが伝送されなければならないのかを示すことに使用されるフィールド、順番フィールド、既決定された文字列で設定された区切り文字フィールド、および循環余剰検査フィールドのうち１つ以上をさらに含む、請求項１１に記載の非圧縮ビデオの無線通信のためのネットワーク内の通信システム。
【請求項１９】
高速チャネルを通して非圧縮ビデオを無線で送信および／または受信する通信手段と、
低速チャネルを通してデータパケットを受信する手段であって、
前記データパケットは、複数のメッセージを含むと共に、ソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含み、
１つ以上のＭＤＡメッセージの前記目的アドレスが前記装置を識別するのかを決定する手段、および
前記装置を識別する前記装置アドレスを含むものと決定された前記ＭＤＡメッセージのうち１つを処理する手段を含む装置を備える、非圧縮ビデオの無線通信のためのネットワーク内の通信システム。
【請求項２０】
高速チャネルを通して非圧縮ビデオを無線で送信および／または受信するステップと、
データパケットをエンコードするステップであって、
前記データパケットは、複数のメッセージを含むと共にソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含むことを特徴とするステップ、および
前記高速チャネルと関連する第２帯域幅より小さい第１帯域幅と関連する低速チャネルを通して前記エンコードされたデータパケットを伝送するステップを含む、非圧縮ビデオの無線通信のためのシステムで複数の装置間にメッセージを通信する方法。
【請求項２１】
前記高速チャネルおよび低速チャネルの周波数帯は、最小限部分的に重なる、請求項２０に記載の非圧縮ビデオの無線通信のためのシステムで複数の装置間にメッセージを通信する方法。
【請求項２２】
前記高速チャネルおよび低速チャネルは、ＴＤＤ（ｔｉｍｅ  ｄｉｖｉｓｉｏｎ  ｄｕｐｌｅｘｉｎｇ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）のうち１つ以上を使用する、請求項２０に記載の非圧縮ビデオの無線通信のためのシステムで複数の装置間にメッセージを通信する方法。
【請求項２３】
前記データパケットは、既決定されたビットパターンを含むプリエムブルをさらに含む、請求項２０に記載の非圧縮ビデオの無線通信のためのシステムで複数の装置間にメッセージを通信する方法。
【請求項２４】
前記プリエムブルは、約４０ｍｉｃｒｏｓｅｃ．ないし約６０ｍｉｃｒｏｓｅｃ．の範囲の期間を有することを特徴とする、請求項２３に記載の非圧縮ビデオの無線通信のためのシステムで複数の装置間にメッセージを通信する方法。
【請求項２５】
前記高速チャネルの周波数帯は、約５７ＧＨｚないし約６６ＧＨｚの周波数範囲である、請求項２１に記載の非圧縮ビデオの無線通信のためのシステムで複数の装置間にメッセージを通信する方法。
【請求項２６】
前記受信されたデータパケット内の前記複数のＭＤＡメッセージは、複数の装置と関連するタイムスロット情報を識別する情報を含み、
前記タイムスロット情報は、既決定されたスーパーフレーム周期内で、前記高速チャネルおよび低速チャネルのうち少なくとも１つを通して送信または受信する前記複数の装置に対する予約された時間周期を示す、請求項２０に記載の非圧縮ビデオの無線通信のためのシステムで複数の装置間にメッセージを通信する方法。
【請求項２７】
前記複数の情報フィールドは、
パケットタイプフィールド、確認応答政策フィールド、既伝送されたパケットの再伝送パケットであることを示すのに使用されるフィールド、時間周期あいださらに多いデータパケットが伝送されなければならないのかを示すことに使用されるフィールド、順番フィールド、既決定された文字列で設定された区切り文字フィールド、および循環余剰検査フィールドのうち１つ以上をさらに含む、請求項２０に記載の非圧縮ビデオの無線通信のためのシステムで複数の装置間にメッセージを通信する方法。
【請求項２８】
高速チャネルを通して非圧縮ビデオを無線で送信および／または受信する無線通信サブシステム、および
データパケットをエンコードするエンコーダであって、
前記データパケットは、複数のメッセージを含むと共にソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含み、
前記無線通信サブシステムは、前記高速チャネルと関連する第２帯域幅より小さい第１帯域幅と関連する低速チャネルを通して前記エンコードされたデータパケットを伝送する、非圧縮ビデオの無線通信のためのネットワーク内の通信システム。
【請求項２９】
前記高速チャネルおよび低速チャネルの周波数帯は、最小限部分的に重なる、請求項２８に記載の非圧縮ビデオの無線通信のためのネットワーク内の通信システム。
【請求項３０】
前記高速チャネルおよび低速チャネルは、ＴＤＤ（ｔｉｍｅ  ｄｉｖｉｓｉｏｎ  ｄｕｐｌｅｘｉｎｇ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）のうち１つ以上を使用する、請求項２８に記載の非圧縮ビデオの無線通信のためのネットワーク内の通信システム。
【請求項３１】
前記データパケットは、既決定されたビットパターンを含むプリエムブルをさらに含む、請求項２８に記載の非圧縮ビデオの無線通信のためのネットワーク内の通信システム。
【請求項３２】
前記プリエムブルは、約４０ｍｉｃｒｏｓｅｃ．ないし約６０ｍｉｃｒｏｓｅｃ．の範囲の期間を有することを特徴とする、請求項３１に記載の非圧縮ビデオの無線通信のためのネットワーク内の通信システム。
【請求項３３】
前記高速チャネルの周波数帯は、約５７ＧＨｚないし約６６ＧＨｚの周波数範囲である、請求項２９に記載の非圧縮ビデオの無線通信のためのネットワーク内の通信システム。
【請求項３４】
前記受信されたデータパケット内の前記複数のＭＤＡメッセージは、複数の装置と関連するタイムスロット情報を識別する情報を含み、
前記タイムスロット情報は、既決定された長さのスーパーフレーム周期内で、前記高速チャネルおよび低速チャネルのうち少なくとも１つを通して送信または受信する前記複数の装置に対する予約された時間周期を示す、請求項２８に記載の非圧縮ビデオの無線通信のためのネットワーク内の通信システム。
【請求項３５】
前記複数の情報フィールドは、
パケットタイプフィールド、確認応答政策フィールド、既伝送されたパケットの再伝送パケットであることを示すのに使用されるフィールド、時間周期あいださらに多いデータパケットが伝送されなければならないのかを示すことに使用されるフィールド、順番フィールド、既決定された文字列で設定された区切り文字フィールド、および循環余剰検査フィールドのうち１つ以上をさらに含む、請求項２８に記載の非圧縮ビデオの無線通信のためのネットワーク内の通信システム。
【請求項３６】
高速チャネルを通して非圧縮ビデオを無線で送信および／または受信する通信手段、および
データパケットをエンコードする手段であって、
前記データパケットは、複数のメッセージを含むと共にソース識別フィールド、および前記パケットを識別するフィールドを含む複数の情報フィールドを含み、
前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、
前記各ＭＤＡメッセージは、１つ以上の目的アドレスを含む受信器識別フィールド、およびデータフィールドを含み、
前記通信手段は、前記高速チャネルと関連する第２帯域幅より小さい第１帯域幅と関連する低速チャネルを通して前記エンコードされたデータパケットを伝送する、非圧縮ビデオの無線通信のためのネットワーク内の通信システム。
【発明の詳細な説明】
【技術分野】
【０００１】
本発明は、ビデオ情報の無線伝送に関するものであり、特に、無線チャンネルを通した非圧縮高画質ビデオ情報の伝送に関するものである。
【背景技術】
【０００２】
高品質ビデオの拡散につれ、多くの電子機器（例えば、家電機器）は、伝送のための帯域幅が概ね１Ｇｂｐｓ（秒当たりビット）またはそれ以上を必要とする高画質（ＨＤ、Ｈｉｇｈ  Ｄｅｆｉｎｉｔｉｏｎ）ビデオを使用する。このように、機器間のＨＤビデオの伝送時、従来の伝送方法は、前記必要とする伝送帯域幅を低くさせるためにそのサイズの短編でＨＤビデオを圧縮する。この後、圧縮されたビデオは消費のために圧縮が解除される。しかし、ビデオデータ各々の圧縮および以後に実行される圧縮解除によって一部のデータが失われ得、映像品質が低下し得る。
【発明の概要】
【発明が解決しようとする課題】
【０００３】
高画質マルチメディアインターフェース（ＨＤＭＩ、Ｈｉｇｈ−Ｄｅｆｉｎｉｔｉｏｎ  ＭｕｌｔｉｍｅｄｉａＩｎｔｅｒｆａｃｅ）スペックは、ＨＤＭＩケーブルを通じて装置間の非圧縮ＨＤ信号を伝達するようにする。電子製品製造業者などは、ＨＤＭＩ−互換装備を提供し始める反面、非圧縮ＨＤビデオ信号を伝送するに適合した無線（例、無線周波数）技術がまだない。近距離通信網（ＷＬＡＮ：ｗｉｒｅｌｅｓｓ  ｌｏｃａｌ  ａｒｅａ  ｎｅｔｗｏｒｋ）と類似の技術は前記非圧縮ＨＤ信号を搬送するための帯域幅を有しいないいくつかの装置が前記ネットワークに接続するとき、干渉（ｉｎｔｅｒｆｅｒｅｎｃｅ）を受けることがある。
【０００４】
本発明のシステム、方法および装置の各々は、所定の属性に対して単独責任がない、いくつかの実施形態を含む。後述される請求項に表現されたように本発明の範囲から外れることなく、より顕著な特徴が簡単に議論されるであろう。この議論を考慮した上、特に「発明の詳細な説明」の部分を読んだ後には本発明の代表的な特徴がどのようにより速いチャネルを獲得し、向上したエラーの復旧および向上した効率を含み得る利点を提供するのかを理解できるであろう。
【課題を解決するための手段】
【０００５】
一実施様態では、非圧縮ビデオの無線通信のためのシステムにおいて、多数の装置間にメッセージを交信する方法を提供する。前記方法は、高速チャネルを通して非圧縮ビデオを無線で伝送および／または無線で受信するステップ、および受信装置で低速チャネルを通してデータパケットを受信するステップを含み、前記受信装置は、装置アドレスによって識別されて、前記データパケットは、複数のメッセージを含むと共に前記パケットを識別するフィールドとソース識別フィールドを含む複数の情報フィールドを備えるヘッダーを含み、前記データパケットは、複数の多重目的集合（ｍｕｌｔｉｐｌｅ  ｄｅｓｔｉｎａｔｉｏｎ  ａｇｇｒｅｇａｔｉｏｎ：ＭＤＡ）メッセージをさらに含み、各々の前記ＭＤＡメッセージは、データフィールド、および１つ以上の目的アドレスを含む受信器識別フィールドを含む。前記方法は、１つ以上のＭＤＡメッセージの目的アドレスが前記受信装置の装置アドレスとマッチするのかを決定するステップ、および前記受信装置の装置アドレスとマッチする目的アドレスを含むものと決定されたＭＤＡメッセージを処理するステップをさらに含む。
【０００６】
他の実施形態では、非圧縮ビデオの無線通信のためのシステムにおいて、通信のための装置を提供する。前記装置は、前記装置に関する装置アドレス、および高速チャネルを通して非圧縮ビデオを無線で伝送および／または無線で受信して、低速チャネルを通してデータパケットを受信する無線通信サブシステムを含み、前記データパケットは、複数のメッセージを含むと共に、前記パケットを識別するフィールドとソース識別フィールドを含む複数の情報フィールドを備えるヘッダーを含み、前記データパケットは、複数の多重目的集合（ＭＤＡ）メッセージをさらに含み、各々の前記ＭＤＡメッセージは、データフィールド、および１つ以上の目的アドレスを含む受信器識別フィールドを含む。前記装置は、１つ以上のＭＤＡメッセージの目的アドレスが前記関連する装置アドレスとマッチするのかを決定するためのデコーダ、および前記関連する装置アドレスとマッチする目的アドレスを含むものと決定されたＭＤＡメッセージを処理するためのプロセッサをさらに含む。
【０００７】
また他の実施形態では、非圧縮ビデオの無線通信のためのシステムにおいて、複数の装置間メッセージを交信する方法を提供する。前記方法は、高速チャネルを通して非圧縮ビデオを無線で伝送および／または無線で受信するステップ、複数のメッセージを含むパケットを識別するフィールドとソース識別フィールドを含む複数の情報フィールドを備えるヘッダーを含むデータパケットをエンコードするステップであって、前記データパケットは、複数の多重目的集合（ＭＤＡ）メッセージをさらに含み、前記各ＭＤＡメッセージは、データフィールド、および１つ以上の目的アドレスを含む受信器識別フィールドを含むことを特徴とするステップ、および前記高速チャネルと関連する第２帯域幅より小さい第１帯域幅と関連する低速チャネルを通して前記エンコードされたデータパケットを伝送するステップを含む。
【０００８】
また他の実施形態では、非圧縮ビデオの無線通信のためのシステムにおいて、通信のための装置を提供する。前記装置は、高速チャネルを通して非圧縮ビデオを無線で伝送および／または無線で受信する無線通信サブシステム、および複数のメッセージを含むパケットを識別するフィールドとソース識別フィールドを含む複数の情報フィールドを備えるヘッダーを含むデータパケットをエンコードするエンコーダであって、前記データパケットは、複数の多重目的集合（ＭＤＡ）メッセージをさらに含み、前記各ＭＤＡメッセージは、データフィールド、および１つ以上の目的アドレスを含む受信器識別フィールドを含むことを特徴として、前記無線通信サブシステムは、前記高速チャネルと関連する第２帯域幅より小さい第１帯域幅と関連する低速チャネルを通して前記エンコードされたデータパケットを伝送する。
【図面の簡単な説明】
【０００９】
【図１】本発明のシステムと方法の一実施形態による無線機器間の非圧縮ＨＤビデオ伝送を具現する無線ネットワークの機能ブロック図である。
【図２】本発明のシステムと方法の一実施形態による無線媒体を通して非圧縮ＨＤビデオの伝送のための通信システム例を示す機能ブロック図である。
【図３】図１に示すような無線ネットワークで使用され得る高速チャネルと低速チャネルが重なる例を示す周波数マップである。
【図４】図１に示すような無線ネットワークで使用され得る全方向性および方向性チャネルビームを示す図である。
【図５】図１に示すような無線ネットワークで使用され得るスーパーフレームのシーケンスとスーパーフレーム時間周期の例に対する分析（ｂｒｅａｋｄｏｗｎ）を示す図である。
【図６】スーパーフレーム周期内で図３に示す低速チャネルおよび高速チャネルの時分割多重化の例を示す図である。
【図７】図２に示すような通信システムで使用され得る無線受信器の例を示すブロック図である。
【図８】図２に示すような通信システムで使用され得る無線送信器を示すブロック図である。
【図９】図２に示すようなシステムで多重目的集合メッセージを受信する方法の例を示す順序図である。
【図１０】図２に示すようなシステムで多重目的集合メッセージを伝送する方法の例を示す順序図である。
【図１１】一実施形態による多重データ集合（ＭＤＡ）メッセージ内の多様なフィールドを示す図である。
【図１２】図１１に示すようなＭＤＡメッセージのＭＡＣ制御フィールド内の多様なサブフィールドを示す図である。
【図１３】一実施形態による多数のＭＤＡメッセージを含む低速チャネルデータパケット内の多様なフィールドを示す図である。
【図１４】低速チャネルデータパケット、低速チャネルプリアンブルサブパケット、および低速チャネルヘッダーサブパケット各々に対してまた他の実施形態による多様なフィールドを示す図である。
【図１５】低速チャネルデータパケット、低速チャネルプリアンブルサブパケット、および低速チャネルヘッダーサブパケット各々に対してまた他の実施形態による多様なフィールドを示す図である。
【図１６】低速チャネルデータパケット、低速チャネルプリアンブルサブパケット、および低速チャネルヘッダーサブパケット各々に対してまた他の実施形態による多様なフィールドを示す図である。
【発明を実施するための形態】
【実施例】
【００１０】
実施形態は、無線チャネルを通して非圧縮高画質ビデオ情報を発信器から受信器に伝送するシステムおよび方法を提供する。
【００１１】
下記の詳細な説明は、本発明のサンプル実施形態に関するものである。しかし、本発明は、請求項によって定義され、含まれるもののような多くの多様な方法で具体化することができる。明細書全体にかけて、同一の参照符号は同一の構成要素を指称する。
【００１２】
非圧縮ビデオデータの通信のための無線通信装置間のデータ処理方法およびシステムを含む実施形態について後述する。ビデオデータは、１つ以上のモーションビデオ、スチールイメージ、またはビジュアルデータの他の適切なタイプを含み得る。非圧縮ビデオが時分割多重化された高速チャネルを通して送信および／または受信されるあいだ多重目的集合（ＭＤＡ）低速チャネルを使用するメッセージについては後述する。多数のＭＤＡメッセージは、１つの受信装置または多数の受信装置と通信することができる。
【００１３】
無線高画質（ｈｉｇｈ  ｄｅｆｉｎｉｔｉｏｎ：ＨＤ）オーディオ／ビデオ（Ａ／Ｖ）システムに対する好ましい実施形態について説明する。図１は、本発明の一実施形態によるＡ／ＶステーションおよびＡ／Ｖ装置調整器のようなＡ／Ｖ装置間に非圧縮ＨＤビデオ伝送を実行する無線ネットワーク１００を示すブロック図である。他の実施形態によれば、１つ以上の装置は、個人用コンピュータ（ＰＣ）のようなコンピュータであり得る。無線ネットワーク１００は、装置調整器１１２と多数のクライアント装置またはＡ／Ｖステーション（１１４、例えば、装置１〜装置Ｎ）を含む。
【００１４】
Ａ／Ｖステーション１１４は、他の装置との通信のために低速（（ｌｏｗ−ｒａｔｅ：ＬＲ）チャネル１１６（図１の点線）を使用し、高速（ｈｉｇｈ−ｒａｔｅ：ＨＲ）チャネル１１８（図１の実線）を使用し得る。装置調整器１１２は、Ａ／Ｖステーション１１４との通信のためにＬＲチャネル１１６とＨＲチャネル１１８を使用する。各Ａ／Ｖステーション１１４は他のＡ／Ｖステーション１１４との通信のためにＬＲチャネル１１６を使用する。ＨＲチャネル１１８は、ビームフォーミング（ｂｅａｍｆｏｒｍｉｎｇ）によって形成された数ＧＢ／ｓ帯域幅の指向性｛しこう せい｝ビーム（ｄｉｒｅｃｔｉｏｎａｌ  ｂｅａｍ）を通して単方向ユニキャスト伝送を支援して非圧縮ＨＤビデオ伝送を支援する。例えば、セットトップボックスは非圧縮ビデオをＨＲチャネル１１８を通してＨＤＴＶに伝送することができる。ＬＲチャネル１１６は、特定の実施形態において、４０Ｍｂｐｓ程度の伝送率で両方向伝送を支援することができる。ＬＲチャネル１１６は、主に確認応答（ａｃｋｎｏｗｌｅｄｇｅｍｅｎｔ：ＡＣＫ）フレームのような制御フレームを伝送することに使用される。例えば、ＬＲチャネル１１６は、ＨＤＴＶでセットトップボックスに確認応答を伝送する。またオーディオや圧縮されたビデオのようないくつかの低速（ｌｏｗ−ｒａｔｅ）データはＬＲチャネルを通して両装置間に直ちに伝送され得る。ＨＲチャネルとＬＲチャネルには時分割多重化（Ｔｉｍｅ  ｄｉｖｉｓｉｏｎ  ｄｕｐｌｅｘｉｎｇ：ＴＤＤ）技術が適用される。実施形態によってある瞬間にはＬＲチャネルおよびＨＲチャネルが伝送のために同時に使用され得る。ビームフォーミング技術は、ＬＲチャネルおよびＨＲチャネル全てに使用され得る。また、ＬＲチャネルは全方向性（ｏｍｎｉ−ｄｉｒｅｃｔｉｏｎａｌ）伝送を支援する。高速チャネルおよび低速チャネルに対する詳細な説明は図３および４を参照して後述する。
【００１５】
一例として、装置調整器１１２は、ビデオ情報の受信器（以下「受信器１１２」という）となり、ステーション１１４は、ビデオ情報の発信器（以下「発信器１１４」という）となる。例えば、受信器１１２は、無線ラン（ＷＬＡＮ）のような家庭用無線ネットワーク環境でＨＤＴＶのようなビデオおよび／またはオーディオデータをシンク（ｓｉｎｋ）することができる。発信器１１４は、非圧縮ビデオやオーディオのソース（ｓｏｕｒｃｅ）となり得る。発信器１１４の例としては、セットトップボックス、ＤＶＤプレーヤやレコーダ、デジタルカメラ、カムコーダ、およびその他コンピュータ装置（ラップトップ、デスクトップ、ＰＤＡなど）などがある。
【００１６】
図２は、本発明の一実施形態による通信システム２００を示すブロック図である。通信システム２００は無線送信器２０２と無線受信器２０４を含む。送信器２０２は、物理（ｐｈｙｓｉｃａｌ：ＰＨＹ）階層２０６、媒体接近制御（ｍｅｄｉａ  ａｃｃｅｓｓ  ｃｏｎｔｒｏｌ：ＭＡＣ）階層２０８、および応用（ａｐｐｌｉｃａｔｉｏｎ）階層２１０を含む。同様に、受信器２０４は、ＰＨＹ階層２１４、ＭＡＣ階層２１６、および応用階層２１８を含む。ＰＨＹ階層は、無線メディア２０１を通じて１つ以上のアンテナを経由して送信器２０２と受信器２０４との間に無線通信を提供する。
【００１７】
送信器２０２の応用階層２１０は、Ａ／Ｖ前処理モジュール２１１とＡ／Ｖ制御モジュール２１２を含む。Ａ／Ｖ前処理モジュール２１１は、非圧縮ビデオの分割のようなオーディオ／ビデオに対する事前処理を実行する。Ａ／Ｖ制御モジュール２１２は、Ａ／Ｖ特性情報を交換するための一般的な方法を提供する。接続が始まる前に、Ａ／Ｖ制御モジュールは使用されるＡＶフォーマットを交渉して接続が完了すれば、ＡＶ制御モジュールは接続を中止する。
【００１８】
送信器２０２において、ＰＨＹ階層２０６は、ＭＡＣ階層２０８および無線周波数（ＲＦ）モジュール２０７との通信に使用されるＬＲチャネル２０３およびＨＲチャネル２０５を含む。特定の実施形態において、ＭＡＣ階層２０８はパケット化モジュール（図示せず）を含み得る。送信器２０２のＰＨＹ／ＭＡＣ階層は、パケットにＰＨＹおよびＭＡＣヘッダーを付着して前記パケットを無線チャネル２０１を通して受信器２０４に伝送する。
【００１９】
無線受信器２０４においてＰＨＹ／ＭＡＣ階層２１４、２１６は受信されたパケットを処理する。ＰＨＹ階層２１４は、１つ以上のアンテナと接続されたＲＦモジュール２１３を含む。ＬＲチャネル２１５とＨＲチャネル２１７は、ＭＡＣ階層２１６およびＲＦモジュール２１３との通信に使用される。受信器２０４の応用階層２１８は、Ａ／Ｖ後処理モジュール２１９およびＡ／Ｖ制御モジュール２２０を含む。例えば、Ａ／Ｖ後処理モジュール２１９は、Ａ／Ｖ前処理モジュール２１１の方法を逆に実行して非圧縮ビデオを再生することができる。Ａ／Ｖ制御モジュール２２０は、送信器２０２のＡ／Ｖ制御モジュール２１２と相補的な方法で作動する。
【００２０】
前述したように、低速チャネルおよび高速チャネルの周波数帯域は重なる。本実施形態によれば、高速チャネルには低速チャネルと重ならない部分が存在し得、反対に、低速チャネルには高速チャネルと重ならない部分が存在し得る。図３は、図１に示すような無線ネットワークで使用され得る高速チャネルと低速チャネルが重なる例を示す周波数マップである。この例において、３個の低速チャネル１１６が１つの高速チャネル１１８の間に位置する。低速チャネル１１６の個数は、３個より多くても良く少なくてもよい。低速チャネル１１６は、約５０ＭＨｚ〜約２００ＭＨｚの範囲内の帯域幅を有し得、約８０ＭＨｚ〜約１００ＭＨｚであることが好ましい。
【００２１】
図３において「チャネル＃ｎ」で図示するように多数の高速チャネル１１８が存在し得る。この例では、４個の高速チャネル１１８が存在する。高速チャネル１１８は図示するように傾斜した側波帯（ｓｉｄｅｂａｎｄ、１１８ａと１１８ｂ）を有する。これは、隣接したチャネル間のチャネル間干渉（ｉｎｔｅｒ−ｃｈａｎｎｅｌ  ｉｎｔｅｒｆｅｒｅｎｃｅ）を制限する。しかし、他の実施形態では傾いた側波帯を使用しないこともできる。低速チャネル１１６もやはり傾いた側波帯（図示せず）が存在し得る。高速チャネルおよび低速チャネルは、如何なる周波数帯域にも存在し得る。使用される高速チャネルの帯域幅は、通信される非圧縮ビデオのデータ伝送率に依存する。帯域幅は、約１Ｇｂｐｓ〜約４Ｇｂｐｓの範囲内でデータ伝送率を支援するように充分に大きくなければならない。他の無線システムで使用される周波数帯域が使用され得る。周波数帯域の選択は、システムが使用される国家の規制機関によって決定されるであろう。例えば、米国では４個の規制がない装置周波数帯が８００ＭＨｚ、２．４ＧＨｚ、５ＧＨｚおよび６０ＧＨｚに配定される。実施形態では、前記４個のうち如何なるものでも使用され得、５ＧＨｚまたは６０ＧＨｚ帯域が使用されるのが好ましい。
【００２２】
図４は、本発明の実施形態により図１に示すような無線ネットワークで使用され得る全方向性および方向性チャネルビームを示す図である。図４は、装置１１４と低速チャネル１１６を通して装置１１４と通信する装置調整器１１２を描写している。低速チャネル１１６は、円形のサービス範囲領域１１６ａで図示するように全方向性モードまたは、狭いビームサービス範囲領域１１６ｂで図示するようにビーム調整を使用する方向性モードで全て使用され得る。各々の場合で、低速チャネル１１６は対称形チャネルである。図４は、装置調整器１１２と装置が高速チャネル１１８を通して通信すること示している。高速チャネル１１８は、図４の狭いビームサービス範囲領域で描写されるように非対称型方向性チャネルである。一実施形態において、データ受信装置からデータ送信装置にデータが成功的に受信されたかどうかを表示する確認応答（ＡＣＫ）の通信のために、方向性低速チャネルは非対称の方向性高速チャネルと接続して使用される。
【００２３】
一実施形態において、低速チャネルは、全方向性モードと方向性モード全てにおいてＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）を使用する。しかし、ＣＤＭＡ（ｃｏｄｅ  ｄｉｖｉｓｉｏｎ  ｍｕｌｔｉｐｌｅ  ａｃｃｅｓｓ）、ＦＤＭＡ  （ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、周波数｛しゅうはすう｝ホッピング（ｆｒｅｑｕｅｎｃｙ  ｈｏｐｐｉｎｇ）などのような如何なる伝送プロトコルも使用され得る。低速チャネル全方向性モードは、ビーコン（ｂｅａｃｏｎ）メッセージ、ネットワーク／装置結合と解除、装置発見、確認応答、装置容量および優先順位変更のような制御データの伝送に使用される。低速チャネル方向性またはビームフォーミングされたモードは、オーディオ信号および／または圧縮されたビデオ信号を通信することに使用され得る。低速チャネル方向性モードは、人、家具、壁などのような対象による妨害を含む頻繁に変化するチャネル状態のために信頼性がそれほど高くない。このような理由で、全方向性（ｏｍｎｉ−ｄｉｒｅｃｔｉｏｎａｌ）モードが制御信号の大部分に使用されるが、全方向性モードは信頼性があり、全ての方向をカバーするため、受信器および／または受信器の移動が接続を維持する能力に及ぼす影響は微々たる。低速チャネル全方向性モードは、約２．５Ｍｂｐｓ〜約１０Ｍｂｐｓの範囲内のデータ伝送率を提供する。低速チャネル方向性モードは、２０Ｍｂｐｓ〜４０Ｍｂｐｓ程度の範囲でデータ伝送率を提供する。しかし、他のデータ伝送率も可能である。
【００２４】
低速チャネルおよび高速チャネルの方向性モードは、装置間の多重同時接続に使用され得るが、なぜなら伝送ビームは狭く、互いに不利な影響を及ぼさないからである。しかし、低速チャネル全方向性伝送（図４の円形のサービス範囲領域１１６ａで示すように）は、範囲内の如何なる装置調整器１１２または装置１１４を干渉することができる。このような理由で、低速チャネル全方向性伝送は、方向性伝送（高速および低速全てを含む）と共に時分割多重化される。低速チャネル全方向性伝送と高速チャネル方向性伝送の時分割多重化について説明する。
【００２５】
知らされたように多くの時分割多重化（ｔｉｍｅ  ｄｉｖｉｓｉｏｎ  ｄｕｐｌｅｘｉｎｇ：ＴＤＤ）チャネルアクセス制御方式は、ネットワークで低速チャネルおよび高速チャネルの伝送を調整することに使用され得る。ＴＤＤ方式の目標は、ある一瞬間に高速または低速の２つのチャネルのうち１つを伝送に使用することである。低速チャネルおよび高速チャネルを調整することに使用されるチャネルアクセス制御方式の一例はスーパーフレームに基づいた方式である。図５は、図１に示す無線ネットワークで使用され得るスーパーフレームのシーケンスおよびスーパーフレーム時間周期の例に対する分析を示す図である。スーパーフレーム基礎伝送システムにおいて、伝送時間は一連のスーパーフレーム５００に分けられる。スーパーフレームの時間の長さは、頻繁に起きる媒体アクセス制御を許容するように充分に小さく形成され（これはアクセスが可能な処理制御信号の遅延を減らす。）、非圧縮ビデオデータの効率的な処理率を提供するように充分に長く形成される。ｏｎ／ｏｆｆ、チャネル転換、ボリューム変更などのようなユーザ命令を処理するにおいて長い遅延はユーザ体験に良くない影響を及ぼす。このような理由で、スーパーフレーム時間は一般的に約１６ｍｓｅｃ．〜１００ｍｓｅｃ．の範囲である。
【００２６】
図５に示すスーパーフレーム方式の例において、各スーパーフレームは、３個のメイン周期フレームであるビーコンフレーム５０５、制御周期フレーム５１０および予約および予約されないチャネル時間ブロック（ＣＴＢ’ｓ）のためのフレーム５１５に分けられる。予約および予約されないＣＴＢ’ｓのための時間フレーム５１５を以下ＣＴＢフレーム５１５という。ビーコンフレームは、ＣＴＢフレーム５１５の予約および予約されないＣＴＢｓに対するタイミングの割り当てを設定することに使用される。例えば、ＴＶのような装置調整器１１２が図１に示すネットワーク１００のようなネットワークで多数のクライアント装置１１４に予約されたタイムスロットを伝達する。
【００２７】
制御周期フレーム５１０は、クライアント装置が装置調整器に制御メッセージを伝送することを許容することに使用される。制御メッセージは、ネットワーク／装置結合および解除、装置発見、タイムスロット予約、装置容量および優先順位変更などを含み得る。制御周期フレーム５１０は、Ａｌｏｈａ、ｓｌｏｔｔｅｄ  Ａｌｏｈａ、ＣＳＭＡ  （ｃａｒｒｉｅｒ  ｓｅｎｓｅｄ  ｍｕｌｔｉｐｌｅ  ａｃｃｅｓｓ）などのような競争基盤アクセスシステムを利用して多数の装置が制御メッセージを送って多数の装置からのメッセージ衝突を調整することを許容する。クライアント装置からメッセージが装置調整器に衝突なしに受信されれば、装置調整器は次のスーパーフレーム５００のビーコンフレーム５０５でメッセージの要請に応答することができる。応答は１つ以上の次のスーパーフレーム５００でＣＴＢのタイムスロット予約になり得る。
【００２８】
ＣＴＢフレーム５１５は、ビーコンメッセージ、およびビーコンフレーム５０５と制御フレーム５１０で伝送される競争基盤制御メッセージを除いた全ての他の伝送に使用される。予約されたＣＴＢｓは、命令、等時性（ｉｓｏｃｈｒｏｎｏｕｓ）ストリームおよび非同期データ接続の伝送に使用される。ＣＴＢｓは、装置調整器から特定クライアント装置への伝送と、クライアント装置から装置調整器への伝送、およびクライアント装置から他のクライアント装置への伝送などのために予約され得る。ＣＴＢは、単一データパケットや多数のデータパケットを伝送すること使用され得る。ＣＴＢフレーム５１０内の予約されないＣＴＢ’ｓは、遠隔制御命令（ＣＥＣおよびＡＶＣ命令など）、ＭＡＣ制御、および運営命令のような低速チャネルでの他の競争基盤命令の通信のために使用され得る。
【００２９】
多くのクライアント装置がメッセージ衝突などによる過度な時間遅延なしにネットワークに成功的にアクセスをするようにさらに許容するために制御フレーム５１０の長さは可能な限り小さくすることが好ましい。一実施形態において、競争基盤に伝送されるメッセージだけが、要請装置と予約されたＣＴＢに予定されるメッセージシーケンス交換の種類を識別する制御開始要求メッセージである。このような方式で、競争基盤のメッセージのサイズは最小限で維持される。低速チャンネルで他の全てのメッセージ交換は予定され得る。
【００３０】
受信装置調整器によって識別されるクライアント装置のメッセージのため、プリエムブルは競争基盤メッセージの開始の部分に使用される。プリエムブルは、装置調整器（またはある受信装置）によって識別され得る既決定されたビットシーケンスである。キャリアセンシンは、特に６０ＧＨｚ周波数の範囲では難しく、プリエムブルの長さは、約３０ｍｉｃｒｏｓｅｃ．〜７５ｍｉｃｒｏｓｅｃ．の範囲であり得る。このような長いプリエムブルは、制御フレーム５１０を希望する短時間の長さで維持することを非常に難しくする。多くのクライアント装置を考慮すると、特に装置容量メッセージのように通信中のデータが大きい場合、制御周期５１０で数多くの衝突が起こり得る。さらに、制御メッセージを処理する効率的な方法が必要である。好ましくは、プリエムブルが３０ｍｉｃｒｏｓｅｃ．〜７５ｍｉｃｒｏｓｅｃ．の程度の範囲であるとき、制御フレーム５１０の長さは、約１００〜６００ｍｉｃｒｏｓｅｃ．の範囲であり得る。
【００３１】
図６は、スーパーフレーム周期内で、図３に示す低速チャネルおよび高速チャネルの時分割多重化の例を示す図である。図６は、図５に示す多様なスーパーフレームのサブフレームのうち如何なるチャンネルが伝送のために使用され得るのかを示している。一実施形態として、ビーコンフレーム５０５および制御フレーム５１０のあいだには低速チャネル１１６だけが伝送に使用される。ＣＴＢフレーム５１５のあいだには低速チャネルおよび高速チャネル全てが伝送に使用され得る。実施形態によって、ビーコンフレーム５０５、制御フレーム５１０およびＣＴＢフレーム５１５のうち何れも固定されたり多様な期間を有したりすることができる。同様に、実施形態によって、スーパーフレーム５００時間の長さは固定されたり多様にすることができる。
【００３２】
前述したように、低速チャネル１１６で制御メッセージ通信のために全方向性モードが使用されるとき、一定の周波数スペクトル（６０ＧＨｚスペクトル）で無線通信のキャリアセンシンは、３０ｍｉｃｒｏｓｅｃ．〜７５ｍｉｃｒｏｓｅｃ．の程度と類似の長期間のプリアンブルを要求することができる。低速チャネル１１６の使用時間はさらに効率的な時分割多重化された高速チャネルが使用され得る総時間に直接的に影響を及ぼすため、低速チャネルでの伝送は可能な限り効率的であることが好ましい。一般的に、全方向性モードで低速チャネル１１６を通して伝送される制御データパケット（例えば、確認応答、ＭＡＣ命令およびＡＶＣ命令など）は、非常に小さいが、これは大きいプリアンブルによって対応されるデータパケットの非効率を高める。大きいプリアンブルを含んで伝送されるメッセージの効率を上げる一つの方法は、プリアンブル、ヘッダーおよび他のオーバーヘッドデータを含むオーバーヘッドデータに比べてデータユニットのサイズを増加させるものである。オーバーヘッド情報に対するデータ情報の比率が増加するように多数の制御メッセージを単一パケット（単一プリアンブルを含む）に集合することによって効率性を増加させる。単一目的装置に向かう多数のメッセージを集合することに加え、多数の目的装置に向かう多数のメッセージを１つのデータパケットに集合することは低速チャネル伝送の効率をさらに高めることができる。多重目的集合（ｍｕｌｔｉｐｌｅ  ｄｅｓｔｉｎａｔｉｏｎ  ａｇｇｒｅｇａｔｉｏｎ：ＭＤＡ）メッセージの処理に対する詳細な説明は後述する。
【００３３】
図７は、図２に示す通信システム２００で使用され得る無線受信器２０４の実施形態を示すブロック図である。この実施形態において、無線受信器２０４は、多数の無線受信器２０４と通信するＭＤＡメッセージを受信するように形成される。無線受信器２０４は、プロセッサ６０５、メモリ６１０、受信部６２０、送信部６１５、および集合メッセージデコーダ６２５を含む。送信部６１５と受信部６２０は、一括に無線通信サブシステム６３０で表現され得る。プロセッサ６０５は、１つ以上の凡用プロセッサおよび／またはデジタル信号プロセッサおよび／または特殊な用途のハードウェアプロセッサを含む。メモリ６１０は、例えば、１つ以上の集積回路またはディスク基盤保存装置または読み取り及び書き込みが可能なラム（ＲＡＭ）装置を含む。プロセッサ６０５は、メモリ６１０、および他の構成要素の多様な活動を実行する他の構成要素に接続される。図１を参照すると、受信部６１５は、クライアント装置１１４および装置調整器１１２のようなネットワーク１００内の他の装置によって伝送されるデータを受信する。受信部は、低速チャネル１１６および／または高速チャネル１１８を通してデータを受信するように形成され得る。送信部６１５は、ネットワーク１１０を通してデータを伝送する。送信部６１５は、例えば、デジタルビデオレコーダ装置（図示せず）であり、図１のネットワーク１１０の装置調整器１１２に示すように低速チャネルのみを通して伝送するように形成されたり、高速チャネル１１８を通して伝送するように形成され得る。
【００３４】
集合メッセージデコーダ６２５は、無線受信器２０４が通信する受信部６３０で受信したＭＤＡメッセージを処理する。ＭＤＡメッセージの処理は、目的決定、デコーディング、逆パケット化などを含み得る。集合メッセージデコーダ６２５は、図２に示すＭＡＣ階層２１６の一部分であり得る。集合メッセージデコーダ６２５によって実行される処理はまた図２のＡＶ後処理モジュール２１９、およびＡＶ制御モジュール２２０のような無線受信器２０４の多様な応用階層モジュールの機能を含み得る。
【００３５】
他の実施形態として、図７の無線受信器２０４の１つ以上の構成要素は再配列および／または結合することができる。構成要素は、ハードウェア、ソフトウェア、ファームウェア、ミドルウェア、マイクロコードやこれらが結合で具現され得る。無線受信器２０４の構成要素によって実行される動作に対する詳細な説明は図９および図１０に示す方法を参照して後述する。
【００３６】
図８は、図２に示す通信システム２００で使用され得る無線送信器２０２の一実施形態を示すブロック図である。この実施形態において、無線送信器２０２はＭＤＡメッセージを多数の無線受信器２０４に向かって伝送するように形成される。この実施形態において、無線送信器２０２はプロセッサ７０５、メモリ７１０、受信部７２０、送信部７１５および集合メッセージエンコーダ７２５を含む。送信部７１５および受信部７２０は一括的に無線通信器７３０で表現され得る。プロセッサ７０５は、１つ以上の凡用プロセッサおよび／またはデジタル信号プロセッサおよび／または特殊な用途のハードウェアプロセッサを含み得る。メモリ７１０は、例えば１つ以上の集積回路またはディスク基盤保存装置または読み取りおよび書き込みが可能なラム（ＲＡＭ）装置を含み得る。プロセッサ７０５は、メモリ７１０、および他の構成要素の多様な活動を実行する他の構成要素に接続される。受信部７２０は、他のクライアント装置１１４および装置調整器１１２のようなネットワーク１００内の他の装置によって伝送されるデータを受信する。受信部７２０は、低速チャネル１１６および／または高速チャネル１１８を通してデータを受信するように形成され得る。送信部７１５は、ネットワーク１１０を通してデータを伝送する。送信部７１５は、図１のネットワーク１１０で「装置Ｎ」で表示したクライアント装置に示すように低速チャネルのみを通して伝送するように形成されたり、「装置２」で表示したクライアント装置と共に低速チャネル１１６および高速チャネル１１８全てを通して伝送するように形成され得る。
【００３７】
集合メッセージエンコーダ７２５は、ＭＤＡメッセージを処理して送信部７１５によって伝送されるようにし、通信システム２００で多数の無線受信器２０４と通信され得るようにする。ＭＤＡメッセージの処理は、目的決定、エンコーディング、パケット化などを含み得る。集合メッセージエンコーダ７２５は、図２に示すＭＡＣ階層２０８の部分であり得る。集合メッセージエンコーダ７２５によって実行される処理は図２のＡＶ前処理モジュール２１１、およびＡＶ制御モジュール２１２のような無線送信器２０２の多様な応用階層モジュールの機能を含み得る。
【００３８】
他の実施形態として、図８の無線送信器２０２の１つ以上の構成要素は、再配列および／または結合され得る。構成要素は、ハードウェア、ソフトウェア、ファームウェア、ミドルウェア、マイクロコードやこれらの結合で具現され得る。無線送信器２０２の構成要素によって実行される動作に対する詳細な説明は図８および図９に示す方法を参照して後述する。
【００３９】
図９は、図２に示すシステムで多重目的集合メッセージを受信する方法の一例を示す順序図である。プロセス８００は、図２の無線受信器２０４のような無線受信装置によって実行される機能を含む。プロセス８００は、無線受信器２０４が低速チャネル１１６でＭＤＡメッセージを受信してネットワーク１００内の他の装置を目標とするＭＤＡメッセージを廃棄するあいだ無線受信器２０４に向かうＭＤＡメッセージを処理できるようにする。プロセス８００は、プロセス８００を実行する無線装置が前述したように時分割多重化基盤の高速チャネル１１８を通して非圧縮ビデオを送信および／または受信するあいだ、低速チャネル１１６を通してＭＤＡメッセージ内の制御メッセージを受信する効率的な方法を提供する。
【００４０】
プロセス８００は、ブロック８０５で無線受信器２０４が高速チャネル１１８を通して非圧縮ビデオを送信および／または受信するステップ８０５から始まる。無線受信器２０４が装置調整器１１２に含まれる場合、無線受信器２０４は高速チャネル１１８を通して非圧縮ビデオを受信することができる。しかし、無線受信器２０４がクライアント装置１１４に含まれる場合、無線受信器２０４は、高速チャネル１１８を通して非圧縮ビデオを伝送することができる。いくつかの実施形態において、プロセス８００を実行する無線受信器２０４は、高速チャネル１１８を通して非圧縮ビデオを送信および受信することができる（例えば、ＨＤＴＶがセットトップボックスから受信しながらデジタルビデオレコーダに伝送する場合）。図７に示す無線受信器２０４の無線通信部６３０は、８０５ステップの機能を実行することができる。具体的に、８０５ステップで受信部６２０は、非圧縮ビデオを受信して送信部６１５は非圧縮ビデオを伝送する。
【００４１】
８０５ステップで無線受信器２０４が高速チャネル１１８を通して非圧縮ビデオを送信および／または受信しないとき、無線受信器２０４は、８１０ステップで低速チャネル１１６を通して１つ以上の目的装置を目標とする多数のＭＤＡメッセージを含むデータパケットを受信することができる。ＭＤＡメッセージを含むデータパケット（以下、「ＭＤＡパケット」という）は、ビーコンフレーム５０５、制御フレーム５１０および予約された時間ブロックと予約されない時間ブロックを全て含むＣＴＢフレーム５１５を含む、図５に示すスーパーフレーム５００の如何なる時間フレームでも低速チャネル１１６を通して受信され得る。受信されたＭＤＡデータパケットは、装置調整器１１２およびクライアント装置１１４を含むネットワーク１００内の如何なる装置からも受信され得る。ＭＤＡパケットと前記パケットに含まれたＭＤＡメッセージのフォーマットに対する具体的な説明は図１０、１１、１２を参照して後述する。図７の無線受信器２０４の受信部６２０は８１０ステップの機能を実行することができる。
【００４２】
８１０ステップでＭＤＡパケットを受信した後、無線受信器２０４は、８１５判断ステップでＭＤＡパケットに含まれた複数のＭＤＡメッセージのうち無線受信器２０４に向かうのかを判断する。一般的に、各ＭＤＡメッセージは、ＭＤＡメッセージが向かう装置の受信器アドレスを識別するフィールドを含むものである。８１５判断ステップで無線受信器２０４に向かうＭＤＡメッセージがないと判断されれば、プロセス８００は、高速チャネルを通してさらに多い非圧縮ビデオを送信および／または受信するために８０５ステップに戻る。８１５判断ステップで無線受信器２０４に向かうＭＤＡメッセージが１つ以上存在するものと判断されれば、プロセス８００は８２０ステップに移る。図７に示す無線受信器２０４の集合メッセージデコーダ６２５は８１５判断ステップの機能を実行することができる。
【００４３】
８１０ステップで受信されたＭＤＡパケット内のＭＤＡメッセージが無線受信器２０４を目標とするものと判断されれば、このような目標が設定されたＭＤＡメッセージは８２０ステップで処理される。ＭＤＡメッセージの処理は、逆パケット化、デコーディング、およびサブパケットを多様な応用階層コンポーネント（（ａｐｐｌｉｃａｔｉｏｎ  ｌａｙｅｒ  ｃｏｍｐｏｎｅｎｔｓ））に伝達することを含み得る。多様なＭＤＡメッセージは、例えば、８０５ステップで無線受信器２０４によって伝送された非圧縮ビデオフレームの受信を確認応答する装置調整器からの確認応答（ＡＣＫ）を含み得る。ＭＤＡメッセージは、装置調整器、ネットワーク／装置結合および解除メッセージ、装置発見メッセージ、装置容量および優先順位変更メッセージなどから予約されたＣＴＢ情報を含んでいるビーコンメッセージを含む応答または要請のような他の制御メッセージを含み得る。図７を参照すると、プロセッサ６０５が応用モジュールのような他のモジュールと関連した処理を実行できることに比べて、集合メッセージデコーダ６２５は８２０ステップで逆パケット化およびデコーディングと関連した機能を実行することができる。
【００４４】
このようにプロセス８００は、８１０ステップで（装置調整器１１２またはクライアント装置１１４内の）無線受信器２０４がネットワーク１００内の複数の他の装置から制御メッセージを受信するための効率的な方法を提供する。単一ＬＲＣプリエムブルとヘッダーだけが多数の受信装置を目標とする多数のＭＤＡメッセージを含むＭＤＡパケットに含まれるため、低速チャネル１１６の効率は向上する。低速チャネル１１６を通して伝送されるメッセージの効率が向上することによって、さらに高いデータ処理率を有する時分割多重化された高速チャネル１１８での伝送にさらに多い時間が与えられる。プロセス８００のいくつかのステップは結合されたり、省略されたり、再配置され得、または前述したものの如何なる組合せをすることもできる。
【００４５】
図１０は、図２に示すシステムで多重目的集合メッセージを伝送する方法の例を示す順序図である。プロセス９００は、図２の無線送信器２０２のような無線送信装置によって実行される機能を含む。プロセス９００は、無線送信器２０２がネットワーク１００内の多数の無線装置を目標とする多数のＭＤＡメッセージを含むデータパケットをエンコードして低速チャネル１１６を通して伝送することを可能にする。プロセス９００は、プロセス９００を実行する無線装置が前述したように時分割多重化基盤の高速チャネル１１８を通して非圧縮ビデオを送信および／または受信するあいだ、低速チャネル１１６を通してＭＤＡメッセージ内の制御および／またはネットワーク運営メッセージを伝送する効率的な方法を提供する。
【００４６】
プロセス９００は、無線送信器２０２が高速チャネル１１８を通して非圧縮ビデオを送信および／または受信する９０５ステップから始まる。無線送信器２０２が装置調整器１１２に含まれている場合、無線送信器２０２は高速チャネル１１８を通して非圧縮ビデオを伝送することができる。これに対し、無線送信器２０２がクライアント装置１１４に含まれている場合、無線送信器２０２は高速チャネル１１８を通して非圧縮ビデオを受信することができる。いくつかの実施形態において、プロセス９００を実行する無線送信器２０２は、高速チャネル１１８を通して非圧縮ビデオを送受信する（例えば、ＨＤＴＶがセットトップボックスから受信しながらデジタルビデオレコーダに伝送する場合）。図８に示す無線送信器２０２の無線通信部７３０は、９０５ステップの機能を実行することができる。具体的に、９０５ステップで受信部７２０は、非圧縮ビデオを受信して送信部７１５は非圧縮ビデオを伝送する。
【００４７】
プロセス９００は、無線送信器２０２が装置調整器１１２またはクライアント装置１１４のような多数の受信装置を目標とする多数のＭＤＡメッセージを含むデータパケットをエンコードする９１０ステップに次ぐ。一般的に、各々のエンコードされたＭＤＡメッセージはＭＤＡメッセージが向かう装置の受信器アドレスを識別するフィールドを含むものである。９１０ステップでエンコードされるＭＤＡメッセージは、例えば、低速チャネル１１６および／または高速チャネル１１８を通して受信するメッセージに対する応答として送信する確認応答、ＭＡＣ命令、およびＡＶＣ命令を含み得る。ＭＤＡメッセージは、また装置調整器、ネットワーク／装置結合および解除メッセージ、装置発見メッセージ、装置容量および優先順位変更メッセージなどから予約されたＣＴＢ情報を含んでいるビーコンメッセージを含む応答または要請のような他の制御メッセージを含み得る。図８に図示する無線送信器２０２の集合メッセージエンコーダ７２５は、９１０ステップで機能を実行することができる。
【００４８】
９０５ステップで無線送信器２０２が高速チャネル１１８を通して非圧縮されたビデオを送信および／または受信しないとき、９１５ステップで無線送信器２０２は低速チャネル１１６を通してＭＤＡパケットを送信することができるが、前記ＭＤＡパケットは１つ以上の目的装置を目標とする多数のＭＤＡメッセージを含む。ＭＤＡパケットは、ビーコンフレーム５０５、制御フレーム５１０およびＣＴＢフレーム５１５を含む図５に示すスーパーフレーム５００の如何なる時間フレームでも低速チャネルを通して送信され得る。送信されたＭＤＡデータパケットは、装置調整器１１２およびクライアント装置１１４を含むネットワーク１００内の如何なる装置にも送信され得る。ＭＤＡパケットと前記パケットに含まれたＭＤＡメッセージのフォーマットに関する詳細な説明は図１０、図１１、図１２を参照して後述する。図８に示す無線送信器２０２の送信部７１５は９１５ステップの動作を実行することができる。
【００４９】
プロセス９００は、９１５ステップで（装置調整器１１２またはクライアント装置１１４内の）無線送信器２０２が制御メッセージをネットワーク１００内の複数の無線受信装置に制御メッセージを送信することに関する効率的な方法を提供する。単一ＬＲＣプリエムブルとヘッダーだけが多数の受信装置を目標とする多数のＭＤＡメッセージを含むＭＤＡパケットに含まれるため、低速チャネル１１６の効率性は向上する。低速チャネル１１６を通して伝送されるメッセージの効率が向上することによって、さらに高いデータ処理率を有する時分割多重化された高速チャネル１１８での伝送にさらに多い時間が与えられる。プロセス９００のいくつかのステップは結合されたり、省略されたり、再配置され得、または前述したものの如何なる組合せをすることもできる。
【００５０】
図１１は、多重データ集合（ＭＤＡ）メッセージ内の多様なフィールドを示している。この実施形態において、ＭＤＡメッセージ１０００はいくつかのフィールドを含む。ＭＤＡ情報フィールド１０１５として知らされたフィールドのグループは、６個のサブフィールドである長さフィールド１００５、受信器アドレス（ＲＡ）フィールド１０１０、ＭＡＣ制御フィールド１０２５、順番フィールド１０３０、区切り文字フィールド１０３５、およびＣＲＣ（Ｃｙｃｌｉｃ  Ｒｅｄｕｎｄａｎｃｙ  Ｃｈｅｃｋ）フィールド１０４０を含む。ＭＤＡメッセージ１０００は、またＭＡＣサービスデータユニット（ＭＳＤＵ）フィールド１０２０として知らされたデータフィールドを含む。いくつかの実施形態において、長さフィールド１００５はＭＤＡ情報フィールド１０１５およびＭＳＤＵフィールド１０２０内の他のフィールドが結合された長さ（実施形態に依存するビットまたはバイト範囲内の長さ）を示す値で設定される固定長さフィールドである。他の実施形態において、ＭＤＡ情報フィールドは固定長さフィールドであり、長さフィールド１００５は、単にＭＳＤＵフィールドの長さを示す値で設定される。また他の実施形態において、ＭＤＡ情報フィールド１０１５およびＭＳＤＵフィールド１０２０の全てのフィールドが固定長さフィールドであり、長さフィールド１００５は省略され得る。また他の実施形態において、これらフィールドは他の順序で再配列され得る。一実施形態として、区切り文字フィールド１０３５は、ＭＤＡ情報フィールド１０１５内で最初のフィールドであり得る。ＣＲＣフィールド１０４０は、区切り文字フィールドを除いた全てのフィールドを対象としてＣＲＣが計算され得るように、ＭＳＤＵの後に位置することができる。
【００５１】
ＭＡＣ制御フィールドは１つ以上のサブフィールドを含み得る。図１２は、図１１に示すようなＭＤＡメッセージ１０００のＭＡＣ制御フィールド１０２５内の多様なサブフィールドを示している。この例において、ＭＡＣ制御フィールド１０２５は、パケットタイプフィールド１０４５、確認応答（ＡＣＫ）政策フィールド１０５０、再試みビット１０５５、および追加データビット１０６０を含む。パケットタイプフィールド１０４５は、受信装置でデータパケットの処理を助けることができるようにデータパケットのタイプを識別することに使用され得る。ＡＣＫ政策フィールド１０５０は、パケットに対するＡＣＫ政策を識別することに使用され得る。ＡＣＫ政策は当業者に知らされたことであり得る。一実施形態において、装置調整器は、ＡＣＫメッセージを送信する多数の受信装置対する予約された時間周期を明示的に予定することができる。他の実施形態において、装置調整器は、多数の受信装置に対する個別的な時間周期を明示的に示さず、その代わり全ての受信装置からＡＣＫメッセージの受信を収容するように１つの大きい時間周期を予約する。この実施形態において、受信装置は、受信されたＭＤＡメッセージ１０００内に表れるＭＳＤＵに対応する順序としてＡＣＫパケットを生成する。最初のＭＳＤＵは、ＭＡＣ制御フィールドをデコーディングした後に分類され得る。受信装置は、ＭＤＡ受信器によって送信されるＡＣＫシーケンス内で自身の位置を決定することができるため、受信器はＡＣＫを伝送するときの時間を暗示的に計算することができる。ＡＣＫメッセージは、固定長さを有し、各々は伝送まで固定時間を必要とすることを仮定することができる。前記固定時間は、ＡＣＫ伝送時間およびインターフレーム間隔（ＩＥＥＥ８０２．１１に使用されたＳｉｆｓ参照）を含み得る。Ｓｉｆｓ周期は、電波遅延、ＭＡＣ処理遅延、およびＲｘ−Ｔｘ転換遅延に対する時間を含み得る。例えば、仮に、ＭＤＡメッセージ内に（ＭＤＡ情報フィールド１０１５に対応する）３個のＭＳＤＵ１０２０がある場合、最初のＭＳＤＵに対する最初の受信装置は、ＡＣＫ伝送周期の開始地点で自身のＡＣＫを伝送し、二番目のＭＳＤＵに対する二番目の受信装置は、固定されたＡＣＫ時間（Ｓｉｆｓ＋ＡＣＫ伝送持続時間）後で自身のＡＣＫを伝送し、三番目の受信装置は、二倍の固定された時間周期（２×Ｓｉｆｓ＋２×ＡＣＫ伝送持続時間）後で自身のＡＣＫを伝送する。例えば、仮に、パケットがデータパケットまたはＭＡＣ制御コマンドパケットであり、前記パケットが以前に伝送されたパケットの再伝送であれば、再試みビット１０５５は「１」という値で設定される。そうではない場合は再試みビット１０５５は「０」で設定される。例えば、仮に装置が時間周期内にさらにデータパケットを送信しなければ、追加データビット１０６０は「１」で設定され、そうではない場合は「０」で設定される。
【００５２】
図１１によれば、順番フィールド１０３０は、ＭＳＤＵフィールド１０２０の個数を示すが、この個数はＭＳＤＵの順次のうち０とＮとの間の順次的な番号であり得、前記順番は最大値に到達したとき初めに戻る。区切り文字フィールド１０３５は、事前に指定されたあるストリングで設定され得るが、前記ストリングはＭＤＡ情報フィールド１０１５内で発生するビットエラーのイベント中に正確なＭＳＤＵフィールド１０２０を復旧することに使用される。例えば、仮に最初のＭＳＤＵフィールド１０２０にエラーが生じた場合、受信器で計算されたＣＲＣとＣＲＣフィールド１０４０の比較によって検出されるように、受信器は次のＭＤＡ情報フィールド１０１５（例えば、区切り文字フィールド１０３５はＭＤＡ情報フィールド１０１５内で最初のフィールドであり得る）を識別するためにビットストリーム内で次の区切り文字フィールド１０３５を検索することができる。他の例では、エラーが発生したＭＳＤＵ１０２０の後に位置する次の二つの区切り文字フィールドは、前記二つの区切り文字フィールド１０３５の間に位置した次のＭＳＤＵ１０２０を識別するために位置し得る。ＣＲＣフィールド１０４０は、ＭＤＡ情報フィールド１０１５に対するチェックサムを生成するために計算されて使用されるビットを含む情報を有する。チェックサムは、伝送以後のＭＤＡ情報フィールド１０１５内のエラーを検出することに使用される。ＣＲＣは、送信器によって計算されてＣＲＣフィールド１０４０内に記録され、受信装置が伝送中にエラーが発生しなかったことを確認することによって検証される。ＣＲＣフィールドは、例えば、ＩＥＥＥ８０２．１１標準のＣＲＣ−１６またはＣＲＣ−３２などのような当業者によく知られた如何なるＣＲＣを使用して計算され得る。
【００５３】
図１３は、図１０に示すような多数のＭＤＡメッセージ１０００を含む低速チャネルデータパケット内の多様なフィールドを示している。この例において、データパケット１１００は、３個のＭＤＡ情報フィールド１０１５および３個のＭＳＤＵフィールド１０２０を含む３個のＭＤＡメッセージ１０００を含む。データパケット１１００に含まれるＭＤＡメッセージの個数は１より大きい正数であり得、３は単なる例として使用される。この例において、最初の二つのＭＤＡメッセージ１０００は、受信器アドレスフィールド１０１０の値がＮおよびＫで表示されていることから分かるように二つの他の受信装置に向かう。受信器アドレス値のＮとＫは単に説明するための例に過ぎない。あるＭＤＡメッセージはネットワーク内の全ての装置へ向かうブロードキャストメッセージであり得る。データパケット１１００内の三番目のＭＤＡメッセージ１０００は、受信器アドレスフィールド１０１０内に「Ｂｒ」値が表示されていることから分かるようにブロードキャストメッセージである。データパケット１１００は、また低速チャネルパケットプリアンブル（ｌｏｗ−ｒａｔｅ  ｃｈａｎｎｅｌ  ｐａｃｋｅｔ  ｐｒｅａｍｂｌｅ：ＬＲＰ  Ｐｒｅａｍｂｌｅ）フィールド１１０５、ＬＲＰヘッダーフィールド１１１０、およびＭＡＣヘッダーフィールド１１１５を含む。ＬＲＰプリアンブル１１０５およびＬＲＰヘッダー１１１０に関する詳細な説明は図１２を参照して後述する。ＭＡＣヘッダーフィールドは、ソースアドレス（図示せず）、多重目的アドレス（選択可能であるが、いくつかの実施形態において標準規格として残っていることもできる）、長さフィールド、ＭＡＣヘッダーチェックサムフィールド、および従来に知らされているような他のフィールドを含み得る。ＭＡＣヘッダーは、またデータパケット１１００内に多数のＭＤＡメッセージ１０００が含まれているのかを識別することに使用されるＭＤＡ識別フィールド１１１６を含む。例示されたデータパケット１１００で、ＭＤＡ識別フィールド１１１６は、ＭＡＣヘッダー内に表示される単一ビットから成る。単一データフィールド（ＭＳＤＵ）だけがパケットに添付されている場合、識別フィールド１１１６のビットは「０」で設定される。仮に、多数のＭＤＡメッセージ１０００がデータパケット１１００に添付されていれば、識別フィールド１１１６のビットは「１」で設定される。ＭＤＡメッセージ１０００の多様なフィールド、およびデータパケット１１００は結合されたり、省略されたり、再配置され得、または前述したものの如何なる組合せをすることもできる。
【００５４】
いくつかの実施形態において、ＬＲＰヘッダーフィールド１１１０は、また長さフィールド（後述される図１６に示しているＬＲＰヘッダー１１１０のＭＰＤＵ長さフィールド１２４５を参照）も含む。これらの実施形態において、データパケット１１００内の最後のＭＤＡメッセージの長さフィールド１００５は省略され得るが、なぜなら最後のＭＤＡメッセージの長さはＭＰＤＵ長さフィールド１２４５に含まれた全体の長さから他のＭＤＡメッセージの長さを減じることによって簡単に計算できるからである。他の実施形態において、長さフィールド１００５のサイズは後述されるように縮小され得る。長さフィールド１００５は普通１２ビットであると仮定する。大部分の長さフィールド１００５は、６ビットより小さく示すことができるが、仮にＭＳＢ（ｍｏｓｔ  ｓｉｇｎｉｆｉｃａｎｔ  ｂｉｔ、最上位ビット）が「１」に設定されていれば、これは長さフィールドが６ビット（最初のビットを含む）であることを示す。ＭＳＢが「０」に設定されていれば、長さフィールドは１２ビット（最初のビットを含む）である。したがって、平均の長さフィールドのサイズは、長さフィールドビットのサイズを示すＭＳＢを使用することによって減少され得る。
【００５５】
図１４〜図１６は、他の実施形態による低速チャネルデータパケット、低速チャネルプリアンブルサブパケット、および低速チャネルヘッダーサブパケットに対する多様なフィールドを各々示している。データパケット１２００は、６０ＧＨｚチャネルを通して伝送するためのデータパケットの例である。多様なフィールドのうちいくつかは前記フィールドを低速チャネル１１６を通して伝送するための時間の長さに対する推定値を含む。データパケット１２００は、図１３に示すデータパケット１１００と同一のいくつかのフィールド例えば、ＬＲＰプリアンブル１１０５、ＬＲＰヘッダー１１１０、ＭＡＣヘッダー１１１５およびＭＳＤＵ１０２０を含む。この例において、ＭＳＤＵ１０２０は、単一ＭＳＤＵやＭＤＡ情報１０１５およびＭＳＤＵ１０２０を含む多数のＭＤＡメッセージ１０００に代替され得る。データパケット１２００は、またヘッダー情報（この例でフィールド１１０５、１１１０および１１１５）が正確に受信されたのかを示す無欠性確認に使用されるヘッダーチェックサム（ＨＣＳ）フィールド１２０５を含み得る。データパケット１２００は、また指向性ビームアンテナを調整するための目的で使用されるビームトラッキングフィールド１２１０を含む。この例において、ＬＲＰプリアンブル１１０５は、期間内で５５．５μsであり、ＬＲＰヘッダー１１１０は期間内で８μsである。これらは６０ＧＨｚ周波数範囲内で送信されるデータパケットに対する典型的な値である。プレエムブルおよびヘッダーを含む合算時間の６３．５μsは多数のメッセージの集合がなぜ好ましいのかに対する暗示である。
【００５６】
図１５にはＬＲＰプリアンブル１１０５のサブフィールドと、これに対応する６０ＧＨｚ周波数範囲に適合した伝送時間推定値が図示されている。ＬＲＰプリアンブルフィールド１１０５は、装置間の周波数同期化のために使用され、ステーションが同期化されたまま自身の伝送周波数および／またはシンボルレートを調整して受信することを許諾する。ＬＲＰプリアンブルフィールド１１０５のサブフィールドは、自動利得制御（ＡＧＣ：ａｕｔｏｍａｔｉｃ  ｇａｉｎ  ｃｏｎｔｒｏｌ）を樹立するためのＡＧＣ／信号検出フィールド１２１５、周波数遷移を補償するためのコース（Ｃｏａｒｓｅ）ＦＯＣフィールド１２２０、より良い周波数遷移補償のためのＲＸダイバーシティ（Ｄｉｖｅｒｓｉｔｙ）訓練補償およびタイミング復元を含むファイン（Ｆｉｎｅ）ＦＯＣフィールド１２２５、ＡＧＣフィールド１２３０およびチャネル推定フィールド１２３５を含む。これらフィールドの目的は、当業者に知られており、本詳細な説明の範囲を超える。
【００５７】
ＬＲＰヘッダー１１１０のサブフィールドは図１６に図示されている。４ビットＬＲＰモード索引フィールド１２４０は、ＭＰＤＵに対して使用された変調を示すが、前記ＭＰＤＵまたはＭＡＣプロトコルデータユニットは、ＭＳＤＵ１０２０およびヘッダーで構成される。１２ビットＭＰＤＵ長さフィールド１２４５は添付されたＭＰＤＵの長さを含む。添付されたＭＰＤＵが複数のＭＤＡメッセージ１０００を含む場合、ＭＰＤＵ長さフィールド１２４５は添付された全てのＭＤＡメッセージの総長さを含む。いくつかの実施形態において、データパケット内の最後のＭＤＡメッセージ（図１０のＭＤＡメッセージ１０００内のフィールド１００５および図１３のデータパケット１１００参照）に対する長さフィールドは省略され得るが、なぜなら最後のＭＤＡメッセージの長さはＭＰＤＵ長さフィールド１２４５に含まれた全体長さから他のＭＤＡメッセージの長さらを減じることによって簡単に計算できるからである。５ビットスクランブラ初期化フィールド１２５０は、普通のビットストリーム内の雑音をランダムで抽出することに使用されるスクランブラの初期状態を含むが、前記スクランブラは普通のビットストリーム内の雑音をランダムで抽出することに使用される。１ビットビームトラッキングフィールド１２５５は、ビームトラッキング情報１２１０がデータパケット１２００内に含まれているのかを示すことに使用される（ビームトラッキング情報が存在すれば、「１」で設定され得、そうではなければ「０」で設定され得る）。予約ビット１２６０はまだ定義されていない他の特徴のために使用され得る。
【００５８】
図１４〜図１６に示しているオーバーヘッドフィールド（ＭＳＤＵフィールド１０２０以外のフィールド）の送信期間およびサイズは、なぜＭＤＡメッセージが低速チャネル１１６を通してさらに効率的なメッセージ通信が可能であるかに対する暗示を提供する。図１２に示すフィールドは、単なる例に過ぎず、フィールドは結合されたり、省略されたり、再配置されたり、またはこれらの如何なる組合せをすることもできる。
【００５９】
前述した詳細な説明が多様な実施形態に適用されたように、発明の新たな特徴について指摘し、説明し、示すあいだ、説明されたプロセスまたは装置の詳しい内容および形状に対する多様な省略、代替および変更は本発明の趣旨から外れない範囲で当業者によって実行され得るものと理解することができる。いくつかの特徴が他のものらから個別的に実行または使用されることもできるように、本発明は、ここに説明されている全ての特徴および利点を提供しない方式内で具体化され得るものと理解できるものである。
【産業上の利用可能性】
【００６０】
前述した一実施形態は、非圧縮ビデオの無線通信のためのシステムにおいて通信のための装置に関するものである。この実施形態による装置は、非圧縮ビデオを高速チャネルを通して無線で送信および／または無線で受信するための手段、および低速チャネルを通してデータパケットを受信するための手段を含み、前記データパケットは、複数のメッセージを含み、前記パケットを識別するフィールドおよびソース識別フィールドを含む複数の情報フィールドを備えるヘッダーを含み、前記データパケットは、複数の多重目的集合（ＭＤＡ）メッセージをさらに含み、前記各々のＭＤＡメッセージは、１つ以上の目的アドレスを含む受信器識別フィールド、およびデータフィールドを含む。前記装置は、１つ以上のＭＤＡメッセージの目的アドレスが前記装置を識別するのかを判断するための手段、および前記装置を識別する目的アドレスを有するものと判断されたＭＤＡメッセージのうち１つを処理するための手段をさらに含む。図７を参照すると、この実施形態の様相は、通信手段である無線通信サブシステム６３０、受信手段である受信部６２０、判断手段である集合メッセージデコーダ６２５、および処理手段であるプロセッサ６０５を含む。
【００６１】
前述したまた他の実施形態は、非圧縮ビデオの無線通信のためのシステムにおいて、通信のための装置に関するものである。この実施形態による装置は、高速チャネルを通して非圧縮ビデオを無線で送信および／または受信するための通信手段、および複数のメッセージを含み、データパケットを識別するフィールドおよびソース識別フィールドを含む複数の情報フィールドを備えるヘッダーを含む前記データパケットをエンコードするための手段を含み、前記データパケットは、複数の多重集合（ＭＤＡ）メッセージをさらに含み、前記各々のＭＤＡメッセージは、１つ以上の目的アドレスを含む受信器識別フィールド、およびデータフィールドを含み、前記通信手段は、高速チャネルと関連する第２帯域幅より小さい第１帯域幅と関連する低速チャネルを通してエンコードされたデータパケットを伝送する。図８を参照すると、この実施形態の様相は、通信手段の無線通信サブシステム７３０、およびエンコード手段である集合メッセージエンコーダ７２５を含む。
【図１】
2010521862.tif 000003
2010521862.tif 000004
【図２】
2010521862.tif 000005
【図３】
2010521862.tif 000006
【図４】
2010521862.tif 000007
【図５】
2010521862.tif 000008
【図６】
2010521862.tif 000009
【図７】
2010521862.tif 000010
【図８】
2010521862.tif 000011
【図９】
2010521862.tif 000012
【図１０】
2010521862.tif 000013
【図１１】
2010521862.tif 000014
【図１２】
2010521862.tif 000015
【図１３】
2010521862.tif 000016
【図１４】
2010521862.tif 000017
【図１５】
2010521862.tif 000018
【図１６】
2010521862.tif 000019
【国際調査報告】
2010521862.tif 000020
2010521862.tif 000021